(57)【要約】      （修正有）【課題】太陽に対する地上利用効率を１００％にし、軽量なスリット構造で風圧を受け流し、軽量に構築できる太陽光反射鏡を提供する。【解決手段】独立型で、反射パラボラアンテナを円周分割、又は扇状分割し、二層、及び有効性のある部分を重合し、リブ６とのスリット構造で風圧に強く、軽量で集光点のふらつき事故の危険をなくし、公知の架台で地上側に集光点を固定し、地上の太陽利用率１００％、となる、円形及び桁状、の太陽光反射鏡２とする。【選択図】図１４
2014081089.tif 000002
【特許請求の範囲】
【請求項１】
太陽光線と反射光線がともに干渉しない位置に風圧を軽減することと円周分割二層にした反射鏡を配置し、集光、集熱器、を構築した椀状太陽光反射鏡。
【請求項２】
反射鏡を反射光線が干渉しない位置に、二層配置し、集光、集熱器をリブで構築した帯状太陽光反射鏡。
【請求項３】
扇状二層反射鏡と集光、集熱器を太陽光線、反射光線が干渉しない位置に配置し、リブで構築した椀状太陽光反射鏡。
【請求項４】
太陽光線、反射光線の干渉しない位置に、下向き反射鏡と上向き反射鏡の反射効率の良いところを重合配置、したシェル格子状太陽光反射鏡。
【請求項５】
太陽光線、反射光線の干渉しない位置に、下向き反射鏡と上向き反射鏡の反射効率の良いところを重合配置、したスリットの入った二枚貝状太陽光反射鏡。
【発明の詳細な説明】
【技術分野】
【０００１】
本発明は、太陽エネルギーの安全集光、集熱、に関するものである。
【背景技術】
【０００２】
従来、太陽集光、集熱、はパラボラアンテナ、フレネルレンズで集光、集熱するもの等がある。
【０００３】
しかし、パラボラアンテナは、大面積は無理があり、集光点ふらつき事故は危険であり、フレネルレンズはプリズム分光し大型化は無理がある。
【０００４】
円周分割パラボラアンテナは、風圧、大型化は可能だが、中央付近の集光が不利である。
【０００５】
これらの改善策として、ヘリオスタットタワーにし二重反射で地上に焦点するものもあるが、太陽運行は３次元で、地上装置は平面配置であり経度方向利用率１/２緯度方向１/２、太陽地上照射に対し合計利用率１/４程度となり、小型の物を多数使用した二重反射ヘリオスタットは風圧、資材の温度膨張、荷重変異に対抗するために大型化し、構造も天体望遠鏡なみの複雑なになる。
【先行技術文献】
【特許文献】
【０００６】
【特許文献１】特許公開２０１０−２０３６２４
【特許文献２】特距出願２０１１−０４０６６６
【非特許文献】
【０００７】
【非特許文献１】ひまわり集光機
【発明の概要】
【発明が解決しようとする課題】
【０００８】
解決しようとする問題点は、
１、パラボラアンテナは、大面積の場合は集光点が長距離になる。
２、既存集光、長距離集光は、集光点事故の危険性があり太陽の利用効率が１/４程度になる。
３、円周分割パラボラアンテナは、中央付近の集光が不利である。
【課題を解決するための手段】
【０００９】
本発明は、パラボラアンテナを、放射状か、円周方向に分割、又は両方の利点を重合して利用する。
【発明の効果】
【００１０】
本発明の、安全分割アンテナを使用する事により、独立型で小型から大型まで、太陽に対する地上利用効率１００％にし、軽量なスリット構造で風圧を受け流し、軽量に構築できる。
【図面の簡単な説明】
【００１１】
（実施例１）
【図１】図１は、反射鏡分割二層配置の光線軌跡断面図である。
【図２】図２は、反射鏡分割二層配置構造中央切断、斜図である。（実施例２）
【図３】図３は、反射鏡分割二層パラボラアンテナを帯状配置した、斜図である。
【図４】図４は、反射鏡分割二層パラボラアンテナを帯状配置した、構造斜図である。（実施例３）
【図５】図５は、扇状分割パラボラアンテナ二層配置中央切断、斜図である。
【図６】図６は、扇丈分割パラボラアンテナ二層配置構造中央切断、斜図である。（公知例）
【図７】図７は、円周分割逆パラボラアンテナ光線軌跡断面図である。
【図８】図８は、円周分割逆パラボラアンテナ、配置斜図である。（実施例４）
【図９】図９は、分割逆パラボラアンテナを逆トラフ配置とした、配置斜図である。（実施例５）
【図１０】図１０は、分割逆パラボラアンテナ、とパラボラアンテナを重合した、光線軌跡断面図である。
【図１１】図１１は、分割逆パラボラアンテナ、とパラボラアンテナを重合した、中央切断、斜図である。
【図１２】図１２は、円周分割逆パラボラアンテナ、とパラボラアンテナの重合中央切断、斜図である。（実施例６）
【図１３】図１３は、分割逆トラフパラボラアンテナとパラボラ、を帯状配置とした、斜図である。
【図１４】図１３は、分割逆トラフパラボラアンテナとパラボラ、を帯状配置とした斜図構造図である。
【発明を実施するための形態】
【００１２】
本発明は、独立一体で、反射パラボラアンテナを円周分割、又は扇状分割した二層、及び有効な部分を重合し、風圧を受け流すスリット構造とし、公知の架台で太陽に正対させ、地上側に短距離で集光点を固定する構造とする。
【実施例１】
【００１３】
風圧を軽減するために、図１、図２、太陽光線１、と二層にした反射鏡２、を反射光線３、がともに干渉しない位置に配置し、集光、集熱器４、をリブ６、で構造を構成する。
【実施例２】
【００１４】
風圧を軽減するために、図３、図４、反射鏡２、を反射光線が干渉しない位置に、分割二層パラボラ反射鏡を集光、集熱器４、リブ６、を帯状配置した構造とする。
【実施例３】
【００１５】
風圧を軽減する為に、図５、図６、扇状、二層反射鏡２、集光、集熱器４、を太陽光線、反射光線が干渉しない位置に配置し、リブ６、で構築する。
【実施例４】
【００１６】
円周分割逆パラボラの中心付近の集光効率を高めるために、図１０、図１１、図１２、太陽光線１、反射光線３、が干渉しない位置に、扇状、二層反射鏡２、反射鏡５、を配置し、集光、集熱器４、リブ６、で構成し構築する。
【実施例５】
【００１７】
風圧を軽減するために、図１３、図１４、分割逆トラフ反射鏡２、反射鏡５、集光、集熱器４、を帯状配置し、リブ６、で構築する。
一般の例を示す。（公知例）
【００１８】
中心付近の反射鏡効率、図７、図８、が悪い。
【産業上の利用可能性】
【００１９】
太陽エネルギー直接利用、集光型太陽光発電素子用、熱発電素子のため集熱、太陽光レーザーのエネルギー源、スターリングエンジンの集熱、蒸気発生の熱源、金属溶解の熱源、アスベスト溶融用熱源、温熱蓄積の熱源、溶融塩蓄熱の熱源、庭先バーベキユーの熱源、等用途に究極の太陽エネルギー源用パラボラアンテナ、クリーンな化学実験用熱源、電波用として簡単に利用できる。
【符号の説明】
【００２０】
１    太陽光線。
２    反射鏡。
３    太陽光線の反射光線。
４    集光、集熱器。
５    複合させる反射鏡。
６    リブ。
【図１】
2014081089.tif 000003
【図２】
2014081089.tif 000004
【図３】
2014081089.tif 000005
【図４】
2014081089.tif 000006
【図５】
2014081089.tif 000007
【図６】
2014081089.tif 000008
【図７】
2014081089.tif 000009
【図８】
2014081089.tif 000010
【図９】
2014081089.tif 000011
【図１０】
2014081089.tif 000012
【図１１】
2014081089.tif 000013
【図１２】
2014081089.tif 000014
【図１３】
2014081089.tif 000015
【図１４】
2014081089.tif 000016